(57)【要約】【課題】            従来構造の閉鎖体による不具合を簡素な構造でもって低減でき、全閉時の閉鎖性を向上することができる開閉装置を提供することにある。【解決手段】        開閉体１０の閉鎖方向端部をスライドさせて閉鎖動作する開閉装置において、開閉体１０における開放方向側の部位に、一端側を開閉体１０に幅方向へわたって止着するとともに他端側を自由端部とした可撓性シート状の閉鎖体１３を備え、開閉体１０が略全閉される際に、前記自由端部を不動部位と一体的な受部３１に当接させることで、閉鎖体１３の中間部を弛ませるとともに、その弛んだ状態の中間部を、不動部位と一体的な接触部３２に開閉体幅方向へわたって接触させて、開閉体１０と接触部３２との間で開閉体前後へ連通する隙間を塞ぐようにした。【選択図】          図１
2006046026.tif 000002
【特許請求の範囲】
【請求項１】
開閉体の閉鎖方向端部をスライドさせて閉鎖動作する開閉装置において、
前記開閉体における開放方向側の部位に、一端側を前記開閉体に幅方向へわたって止着するとともに他端側を自由端部とした可撓性シート状の閉鎖体を備え、
前記開閉体が略全閉される際に、前記自由端部を不動部位と一体的な受部に当接させることで、前記閉鎖体の中間部を弛ませるとともに、その弛んだ状態の中間部を、不動部位と一体的な接触部に開閉体幅方向へわたって接触させて、前記開閉体と前記接触部との間で開閉体前後へ連通する隙間を塞ぐようにしたことを特徴とする開閉装置。
【請求項２】
上記閉鎖体における開閉体閉鎖方向側の部位に、開閉体幅方向へわたって、剛性材料からなる補強部材を設けたことを特徴とする請求項１記載の開閉装置。
【請求項３】
上記開閉体を巻き取ったり繰出したりする巻取り軸を備え、
上記閉鎖体は、前記巻取り軸に巻き取られた際の上記開閉体の外周側に配置されていることを特徴とする請求項１又は２記載の開閉装置。
【請求項４】
長尺状の巻込部材をリール軸によって巻き取ったり繰出したりするリール装置を備え、
前記開閉体が上記巻取り軸に巻き取られる際には、その巻き取られる際の前記開閉体の外周に、前記リール装置から繰出される前記巻込部材を巻き取らせながら、これら開閉体と巻込部材との間に上記閉鎖体を挟み込ませるようにしたことを特徴とする請求項３記載の開閉装置。
【請求項５】
上記開閉体を巻き取ったり繰出したりする巻取り軸を備え、
上記閉鎖体は、前記巻取り軸に巻き取られた際の上記開閉体の内周側に配置されていることを特徴とする請求項１又は２記載の開閉装置。
【発明の詳細な説明】
【技術分野】
【０００１】
本発明は、オーバーヘッドドアを含むシャッター装置、ドア、雨戸を含む引戸、窓、ロールスクリーン、ブラインド、オーニング装置、門扉、ゲート、スライディングウォール装置等、構造物の空間部分を仕切るための開閉装置に関し、特にシャッター装置として適用するのに好ましい開閉装置に関するものである。
【背景技術】
【０００２】
従来、この種の開閉装置には、特許文献１に記載されたもののように、開閉体（４５）の表面や裏面に対し、シート体（４７）の突端を接触させ、開閉体（４５）が全閉状態となった際における開閉体（４５）内外の閉鎖性（気密性や、防塵性、遮煙性、遮炎性、防犯性等を含む）を向上するようにした発明がある。
しかしながら、この開閉装置によれば、開閉体（４５）が常にシート体（４７）に摺接するため、開閉体（４５）を開閉させるための動力源の負荷が大きくなったり、開閉体（４５）がシート体（４７）との摩擦抵抗により閉鎖動作し難くなったり、あるいは、シート体（４７）が開閉体（４５）との摩擦により磨耗したり等するおそれがあった。
【０００３】
そこで、改良された他の従来技術としては、図５に示すように、開閉体１１０における開放方向側の部位に、変形可能な断面袋状の閉鎖体１１１を備え、前記開閉体１１０が全閉される際に、前記閉鎖体１１１をまぐさ１２０内に接触させることで、開閉体１１０とまぐさ１２０内面との隙間を塞ぐようにした発明がある（例えば、特許文献２参照）。
この従来技術によれば、前記閉鎖体１１１が、開閉体１１０の全閉時のみ、まぐさ１２０内面に接触するため、摩擦による負荷の増大や磨耗等を軽減することができる。
【０００４】
しかしながら、後者の従来技術によれば、開閉体１１０が巻き取られる際、断面袋状の閉鎖体１１１により、開閉体１１０の巻径が大きくなり易い（図５（ａ）参照）。
その上、断面袋状の閉鎖体１１１は、開閉体１１０に巻き込まれた際にへたって癖が付いてしまうと、元の状態に戻り難い。そのため、開閉体１１０の全閉時に、閉鎖体１１１とまぐさ１２０内面との間に隙間が生じ、閉鎖体１１１による閉鎖性が低下するおそれがある（図５（ｂ）参照）。
更には、断面袋状の閉鎖体１１１は、巻取り軸１３０の回転による遠心力によって、その遠心方向へ膨らむと、収納ケース内面等に衝突して、騒音や振動を発生するおそれがある（図５（ｃ）参照）。
【特許文献１】特開平１１−１８２１５９号公報
【特許文献２】特開平１１−２２３４０号公報
【発明の開示】
【発明が解決しようとする課題】
【０００５】
本発明が解決しようとする課題は、上記従来構造の閉鎖体による不具合を簡素な構造でもって低減できる上、全閉時の閉鎖性を向上することができる開閉装置を提供することにある。
【課題を解決するための手段】
【０００６】
上記課題を解決するために第一の発明は、開閉体の閉鎖方向端部をスライドさせて閉鎖動作する開閉装置において、前記開閉体における開放方向側の部位に、一端側を前記開閉体に幅方向へわたって止着するとともに他端側を自由端部とした可撓性シート状の閉鎖体を備え、前記開閉体が略全閉される際に、前記自由端部を不動部位と一体的な受部に当接させることで、前記閉鎖体の中間部を弛ませるとともに、その弛んだ状態の中間部を、不動部位と一体的な接触部に開閉体幅方向へわたって接触させて、前記開閉体と前記接触部との間で開閉体前後へ連通する隙間を塞ぐようにしたことを特徴とする。
【０００７】
ここで、本発明に係わる開閉装置は、開閉体の閉鎖方向端部をスライドさせて閉鎖動作するように構成された装置であればよく、この開閉装置には、開閉体が閉鎖動作のみを行うように用いられる態様（例えば、非常時のみ遮煙や遮炎等の目的で閉鎖されるシャッター装置等）や、開閉体が開放動作と閉鎖動作との双方を行うように用いられる態様等を含む。
また、この開閉装置には、開閉体を巻取り軸によって巻き取ったり繰出したりすることで開閉させる態様や、開閉体を巻取ることなく繰出したり収納したりする態様等を含む。
【０００８】
また、上記開閉体の好ましい具体例としては、複数のスラットやパイプを開閉方向へ連設してなる態様や、単数もしくは複数のパネルや、シート状物、ネット状物を開閉方向へ設けてなる態様、あるいはスラット、パネル、パイプ、可撓性シート状物、ネット状物等を適宜に組み合わせてなる態様等が挙げられる。
【０００９】
また、上記閉鎖体とは、その開閉体開閉方向における一端側を、上記開閉体の開放方向側の部位に対し、開閉体幅方向へわたって止着するとともに、他端側を自由端部とした部材であって、可撓性シート状物からなる部材である。
この閉鎖体の具体例としては、耐火性を向上する等の観点より特に好ましい態様としてシリカクロス等が挙げられるが、可撓性を有するシート状物であれば他のシート材であってもよい。
【００１０】
また、上記受部とは、上記不動部位と一体的な部位であって、上記自由端部を受けることで上記閉鎖体の中間部を弛ませる部位である。この受部は、上記不動部位自体の部位であってもよいし、上記不動部位と一体的な別部材の部位であってもよい。
また、上記接触部とは、上記不動部位と一体的な部位であって、弛んだ状態の上記閉鎖体の中間部に対し、開閉体幅方向へわたって接触するように配置される部位である。この接触部も、上記不動部位自体の部位であってもよいし、上記不動部位と一体的な別部材の部位であってもよい。
【００１１】
なお、上記不動部位とは、閉鎖動作する開閉体に対し不動な部位であればよく、この不動部位には、上記開閉体を開閉方向へ案内するためのガイドレールや、上記開閉体を送出したり引き込んだりするための開口部を有するまぐさ部材、上記開閉体をその開放方向側で収納する収納ケース、当該開閉装置が設置される躯体等が含まれる。
また、上記受部が設けられる上記不動部位と、上記接触部が設けられる上記不動部位とは、同一のものであってもよいし、別体のものであってもよい。
【００１２】
また、上記中間部とは、上記閉鎖体における上記一端側の止着された部位と、上記他端側の自由端部との間に位置する部分を意味する。
また、「開閉体前後へ連通する隙間」とは、より詳細に説明すれば、閉鎖状態の上記開閉体の表側の空間と同開閉体の裏側の空間とを連通する経路となる隙間を意味し、この連通経路は湾曲または折曲した経路であってもよい。
【００１３】
また、第二の発明では、上記閉鎖体における開閉体閉鎖方向側の部位に、開閉体幅方向へわたって、剛性材料からなる補強部材を設けたことを特徴とする。
【００１４】
ここで、上記補強部材とは、上記閉鎖体の開閉体幅方向の撓みを抑制する程度の剛性を有する部材であればよく、この補強部材の材質の具体例としては、金属や合成樹脂材料、木材、コンクリート等が挙げられる。
【００１５】
また、第三の発明では、上記開閉体を巻き取ったり繰出したりする巻取り軸を備え、上記閉鎖体は、前記巻取り軸に巻き取られた際の上記開閉体の外周側に配置されていることを特徴とする。
【００１６】
また、第四の発明では、長尺状の巻込部材をリール軸によって巻き取ったり繰出したりするリール装置を備え、前記開閉体が上記巻取り軸に巻き取られる際には、その巻き取られる際の前記開閉体の外周に、前記リール装置から繰出される前記巻込部材を巻き取らせながら、これら開閉体と巻込部材との間に上記閉鎖体を挟み込ませるようにしたことを特徴とする。
【００１７】
また、第五の発明では、上記開閉体を巻き取ったり繰出したりする巻取り軸を備え、上記閉鎖体は、前記巻取り軸に巻き取られた際の上記開閉体の内周側に配置されていることを特徴とする。
【００１８】
なお、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするために移動する方向を意味する。
【発明の効果】
【００１９】
本発明は、以上説明したように構成されているので、以下に記載されるような作用効果を奏する。
第一の発明によれば、開閉体が略全閉される際、開閉体と共に閉鎖方向へ繰出された閉鎖体が、その自由端部を受部に当接させることで、その中間部を弛ませる。そして、閉鎖体は、弛んだ状態の前記中間部を、開閉体幅方向へわたって接触部に接触させる。すると、開閉体と接触部との間で開閉体前後へ連通する隙間が、閉鎖体の中間部により塞がれる。
前記のように、閉鎖体は、自由端部を受部に当接させて弛ませて接触部に接触させるため、開閉体が全閉される際の必要時以外は略弛みのない状態に維持される。
したがって、例えば、閉鎖体により巻き取られる開閉体の巻径が大きくなることや、閉鎖体が開閉体に巻き込まれた際に縮んでしまい元の膨らんだ状態に戻らなくなること等、従来構造の閉鎖体による不具合を、簡素な構造でもって低減できる上、全閉時の閉鎖性を向上することができる。
【００２０】
更に、第二の発明によれば、補強部材により閉鎖体の撓みを抑制することができ、ひいては、弛んだ際の閉鎖体の中間部と接触部との接触状態を、開閉体幅方向へわたって均等化し、開閉体全閉時の閉鎖性を一層向上することができる。
【００２１】
更に、第三の発明によれば、閉鎖体が開閉体の外周側に配置されるため、その閉鎖体を弛ませるため等のスペースを確保し易く、生産性が良好である。
【００２２】
更に、第四の発明によれば、開閉体が巻取り軸に巻き取られる際、その巻き取られる開閉体の外周面と巻込部材との間に、閉鎖体が挟み込まれる。
したがって、巻取り軸の回転中に、閉鎖体の自由端部が自重等により逆方向を向いたり、同自由端部が遠心力によりその遠心方向へ移動して収納ケース等に衝突したり等するのを防ぐことができる。
【００２３】
更に、第五の発明によれば、開閉体が巻取り軸に巻き取られる際、その巻き取られる開閉体の内周面側に、閉鎖体が巻き込まれる。
したがって、巻取り軸の回転中に、同自由端部が遠心力によりその遠心方向へ移動して収納ケース等に衝突するのを防ぐことができる。
【発明を実施するための最良の形態】
【００２４】
以下、本発明の実施の形態を図面に基づいて説明する。
本実施の形態による開閉装置の一例は、住宅やビル、倉庫、工場、地下街、トンネル、車両の荷台等の躯体の開口部分や内部に配設され、前記開口部分を開閉したり、躯体内部の空間を仕切ったり開放したりするシャッター装置として説明する。
【００２５】
開閉装置１は、閉鎖方向端部をスライドさせて開閉動作する開閉体１０と、該開閉体１０の幅方向（図１における左右方向）の端部を囲み開閉方向へ案内するガイドレール（図示せず）と、開閉体１０を巻き取ったり繰出したりする巻取り軸２０とを備え、開閉体１０が略全閉される際に、該開閉体１０の開放方向側の部位に設けられた閉鎖体１３を、不動部位と一体的な接触部３２に接触させることで、開閉体１０と接触部３２との間で開閉体前後へ連通する隙間を塞ぐ。
【００２６】
開閉体１０は、開閉体本体１１における閉鎖方向側（図示例によれば下方側）の端部に、座板部材１２を止着し、同開閉体本体１１における開放方向側の部位には、閉鎖体１３を止着している。
【００２７】
開閉体本体１１は、耐火性の可撓性シート状物（例えばシリカクロス等）から略矩形状に形成される。この開閉体本体１１は、複数の可撓性シート状物を開閉体幅方向及び／又は開閉体開閉方向へ繋ぎ合わせて構成してもよいし、単一の可撓性シート状物から構成してもよい。
【００２８】
また、座板部材１２は、開閉体本体１１の下端部に、開閉体幅方向の略全長にわたって接続され、その自重により開閉体本体１１を下方へ引っ張るとともに、開閉体１０が全閉される際には、床面や地面、枠部材等の当接対象部位ｐに着座する。
【００２９】
また、閉鎖体１３は、上記開閉体本体１１と略同材質の可撓性シート状物から帯状に形成され、その開閉体開閉方向における一端側を、開閉体１０に対し幅方向へわたって止着するとともに、他端側を自由端部としている。
この閉鎖体１３の止着箇所は、開閉体１０の開閉体開放方向の端部側の部位であって、開閉体１０の開放方向側の端部側と一体的な部位であればよく、例えば、巻取り軸２０の外周面であってもよい。
【００３０】
また、閉鎖体１３の自由端部側の部分には、断面袋状の袋部１３ｂが形成され、その袋部１３ｂには、開閉体幅方向へわたる補強部材１３ａが内在されている。
この補強部材１３ａは、剛性材料からなり、閉鎖体１３の開閉体幅方向の略全長にわたって、閉鎖体１３の撓みを抑制するとともに、閉鎖体１３を自重により下方へ引っ張る部材であればよく、例えば、金属材料や合成樹脂材料等から構成される。
【００３１】
なお、この閉鎖体１３の開閉体幅方向の長さは、上記開閉体本体１１の幅方向の全長と略同程度に設定されている。
また、同閉鎖体１３の開閉体開閉方向の長さは、閉鎖体１３の前記自由端部が受部３１に当接し、該閉鎖体１３の開閉体開閉方向の中間部を弛ませて接触部３２に接触するように適宜設定されている。
【００３２】
受部３１は、不動部位（例えば、まぐさやガイドレール、巻取り軸２０等を収納するための収納ケース、当該開閉装置１が設置される躯体等）に一体的に構成される。そして、この受部３１は、巻取り軸２０に巻き取られた際の開閉体１０の外周側において、閉鎖体１３の自由端部側の袋部１３ｂを、開閉体幅方向の略全長にわたって受ける。
なお、この受部３１は、前記不動部位自体であってもよいし、前記不動部位に固定された別体の部材であってもよい。
【００３３】
また、前記受部３１は、図１に示す好ましい一例によれば、前記袋部１３ｂを受けた際に、該受部３１と開閉体１０との隙間ｓ２が、弛んだ状態の袋部１３ｂにより塞がれ、かつ前記袋部１３ｂが該受部３１と開閉体１０との隙間Ｓ２を通り抜けないように、開閉体１０の面に近接して配置されている。
【００３４】
また、接触部３２は、不動部位（例えば、巻取り軸２０等を収納するための収納ケースや、当該開閉装置１が設置される躯体等）と一体的に構成され、開閉体１０の幅方向の略全長にわたって弛んだ際の閉鎖体１３の中間部により接触されるように配置されている。この接触部３２も、前記不動部位自体であってもよいし、前記不動部位に固定された別体の部材であってもよい。
【００３５】
また、巻取り軸２０は、開閉体１０を巻き取ったり繰出したりするように構成された部材であればよく、例えば、回動自在に支持された軸本体の外周に略筒状や略籠状等の回転ドラムを固定した態様や、回動不能に固定された軸本体の外周に回動自在に前記回転ドラムを支持した態様等とすることができる。
この巻取り軸２０の駆動源は、電動であっても手動であってもよく、あるいは、付勢手段（スプリングや錘体）等の付勢力を利用したものであってもよい。
【００３６】
そして、前記巻取り軸２０の外周面には、上記開閉体１０の開放方向端部、上記閉鎖体１３の開放方向端部、および後述するリール装置４０の巻込部材４１における繰出し先端側の端部等が止着されている。なお、前記三つの止着箇所は、巻取り軸２０の周方向における同一箇所としてもよいし、巻取り軸２０の周方向へ適宜ずらしてもよい。
【００３７】
前記リール装置４０は、開閉体幅方向へわたって複数箇所に配設されている。
各リール装置４０は、不動部位（例えば、巻取り軸２０等を収納するための収納ケース、当該開閉装置１が設置される躯体等）に固定された軸受ブラケット４３に、ベアリング等を介して略中空軸状のローラ４２を回動可能に支持し、該ローラ４２の外周面に巻込部材４１を巻回してなり、巻込部材４１をローラ４２によって巻き取ったり繰出したりする。
【００３８】
各リール装置４０の一例について、より詳細に構造を説明すれば、ローラ４２の内部に、コイルスプリングや発条等からなるゼンマイ状部材（図示せず）を備え、このローラ４２が、前記ゼンマイ状部材の付勢力により、巻込部材４１を巻き取るように付勢されている。
【００３９】
また、巻込部材４１は、可撓性を有する長尺状帯状の部材であればよく、例えば、ガラスクロスやシリカクロス等の難燃性布地や、フッ素加工を施した塩化ビニル樹脂シート材、ガラス繊維を含んだ合成樹脂シート材、ナイロン、ゴムシート、その他の合成樹脂シート等により構成される。
【００４０】
そして、この巻込部材４１の一端側はローラ４２の外周面に止着され、その他端側は、閉鎖体１３の付け根位置に略対応するように、巻取り軸２０の外周面または開閉体１０面に止着されている。
【００４１】
なお、この巻込部材４１は、ローラ４２による巻取り動作を良好にしたり、巻取り軸２０に巻かれた際の巻き太りを軽減したり等する観点から、前記したように帯状に形成されるのが好ましいが、紐状部材とすることも可能である。
また、この巻込部材４１は、図２に示すように開閉体幅方向に複数配設するのが好ましいが、単数とすることも可能である。
【００４２】
次に、上記構成の開閉装置１について、その作用効果を詳細に説明する。
巻取り軸２０の繰出し方向の回転により、開閉体１０が閉鎖動作すると、略全閉状態となる若干手前で、閉鎖体１３の自由端部が、不動部位と一体的な受部３１に当接する（図１（ａ）参照）。
すると、閉鎖体１３は、巻取り軸２０の繰出し方向の回転に伴い、付け根側端部と自由端部との間の中間部を、巻取り軸２０の遠心方向へ弛ませる。
そして、前記のようにして弛んだ状態の閉鎖体１３が、不動部位と一体的な接触部３２に接触し、その後に、開閉体１０の閉鎖方向端部（具体的には閉鎖体１２）が当接対象部位ｐに当接する。そして、巻取り軸２０が図示しない制御部からの信号により繰出し方向の回転を停止し、開閉体１０は、全閉状態となる。
【００４３】
この開閉体１０の全閉状態においては、該開閉体１０と前記接触部３２との間で開閉体前後へ連通する隙間ｓ１が、弛んだ状態の閉鎖体１３により塞がれる。
更に、本実施の形態の好ましい一例によれば、受部３１に接触することで弛んだ状態の袋部１３ｂにより、受部３１と開閉体１０との隙間ｓ２も塞がれる。
すなわち、図１において、閉鎖状態の開閉体１０の左側の空間から隙間ｓ１や隙間ｓ２を通り、巻取り軸２０の上方を通過して、開閉体１０の右側の空間へ連通する通路が、閉鎖体１３によって遮断されることになる。
したがって、全閉状態の開閉体１０による閉鎖性（気密性や、防塵性、遮煙性、遮炎性、防犯性等を含む）を向上することができる。
【００４４】
また、開閉体１０が巻取り軸２０に巻き取られる際には、その巻き取られる開閉体１０の外周面に閉鎖体１３が巻き取られ、更に、閉鎖体１３の外周面にリール装置４０の巻込部材４１が巻き取られる。すなわち、閉鎖体１３は、開閉体１０と巻込部材４１との間に挟み込まれることになる。
したがって、巻取り軸２０の回転中に、閉鎖体１３の自由端部が自重等により逆方向（図示例によれば時計回り方向）へ向いてしまったり、同自由端部が、遠心力によりその遠心方向へ移動し、収納ケース等の不動部位に衝突してしまったり等することを防ぐことができる。
【００４５】
なお、上述した開閉装置１は、リール装置４０を備えた好ましい態様としたが、図３に示す開閉装置２のように、リール装置４０を省いた構成とすることも可能である。
この開閉装置２では、リール装置４０を省くとともに、閉鎖体１３における開閉体開閉方向の長さ寸法Ｌや、接触部３２と巻取り軸２０との隙間ｓを適宜に調整することで、巻取り軸２０の回転中に、閉鎖体１３の自由端部が自重等により逆方向（図示例によれば時計回り方向）へ向くことによる不具合を防いでいる。
より詳細に説明すれば、閉鎖体１３が巻取り軸２０に吊り下げられた状態（図３（ａ）参照）から、巻取り軸２０を繰出し方向へ回転させると、閉鎖体１３の自由端部が自重等により逆方向（図示例によれば時計回り方向）へ向く（図３（ｂ）参照）。
しかしながら、閉鎖体１３の自由端部は、繰出し方向へ回転する巻取り軸２０の頂部を超えると、自重により受部３１側へ滑り落ちるため、受部３１に当接することになる。
よって、上述した開閉装置１と略同様に、接触部３２と巻取り軸２０との隙間ｓ１や、受部３１と開閉体１０との隙間ｓ２が塞がれることになる（図３（ｃ）参照）。
【００４６】
また、上述した開閉装置１によれば、閉鎖体１３を、巻取り軸２０に巻き取られた際の開閉体１０の外周側に配置したが、図２に示す開閉装置３のように、閉鎖体１３を、巻取り軸２０に巻き取られた際の開閉体１０の内周側に配置することも可能である。
この開閉装置３は、閉鎖体１３を開閉体１０の内周側に配置するとともに、上記開閉装置１における受部３１及び接触部３２を、受部３１’及び接触部３２’に置換した構成とされる。
受部３１’は、不動部位（例えば、まぐさやガイドレール、巻取り軸２０等を収納するための収納ケース、当該開閉装置１が設置される躯体等）に一体的に構成される。そして、この受部３１’は、巻取り軸２０に巻き取られる開閉体１０の内周側において、閉鎖体１３の自由端部側の袋部１３ｂを、開閉体１０の幅方向の略全長にわたって受ける。
【００４７】
また、接触部３２’は、上記受部３１’または上記不動部位に一体的に構成される。そして、この接触部３２’は、開閉体１０の開閉体１０の幅方向の略全長にわたって、弛んだ際の閉鎖体１３の中間部に接触されるように配置される。
【００４８】
上記構成の開閉装置２によれば、巻取り軸２０の繰出し方向の回転により、開閉体１０が閉鎖動作すると、略全閉状態となる若干手前で、閉鎖体１３の自由端部が、受部３１’に当接する。
すると、閉鎖体１３は、巻取り軸２０の繰出し方向の回転に伴い、付け根側端部と自由端部との間の中間部を弛ませ、その弛んだ中間部を、開閉体幅方向の略全長にわたって、受部３１’に接触させる。
したがって、受部３１’と開閉体１０の面との隙間ｓ１’や、接触部３２’と開閉体１０の面との隙間ｓ２’が、閉鎖体１３における中間部及び袋部１３ｂにより塞がれることになる。
なお、図中符号５０は、巻取り軸２０及び該巻取り軸２０に巻かれた開閉体１０等を収納するための収納ケースであり、この収納ケース５０の下部には、開閉体１０を送出したり引き込んだりするための開口部５１が形成されている。閉鎖体１３は、この開口部５１を介して、開閉体１０の内外へ連通する空気流通路を遮断することになる。
【００４９】
また、上記開閉装置３において、開閉体１０が巻取り軸２０に巻き取られる際には、その巻き取られる開閉体１０の内周面と、巻取り軸２０の外周面との間に、閉鎖体１３が挟み込まれることになる。
したがって、上記構成の開閉装置３によれば、巻取り軸２０の回転中に、閉鎖体１３の自由端部が自重等により逆方向（図示例によれば時計回り方向）へ向いてしまったり、閉鎖体１３の自由端部が遠心力により収納ケース等の不動部位に衝突してしまったり等するのを防ぐことができる。
【図面の簡単な説明】
【００５０】
【図１】本発明による開閉装置の一例を示す模式図であり、（ａ）は閉鎖体が受部に当接する前の状態を示し、（ｂ）は閉鎖体が受部に当接して弛んだ状態を示す。
【図２】同開閉装置の一例を示す要部斜視図。
【図３】本発明による開閉装置の他例を示す模式図であり、（ａ）は閉鎖体が巻取り軸に対し垂下状に位置した状態を示し、（ｂ）は閉鎖体が巻取り軸の上部側に位置した状態を示し、（ｃ）は閉鎖体が受部に当接して弛んだ状態を示す。
【図４】本発明による開閉装置の他例を示す模式図であり、（ａ）は閉鎖体が受部に当接する前の状態を示し、（ｂ）は閉鎖体が受部に当接して弛んだ状態を示す。
【図５】従来の開閉装置の一例を示す模式図であり、（ａ）は閉鎖体が開閉体に巻き込まれた状態を示し、（ｂ）はへたった状態の閉鎖体がまぐさ内に位置した状態を示し、（ｃ）は閉鎖体が収納ケース内面に当接した状態を示す。
【符号の説明】
【００５１】
１，２，３：開閉装置
１０：開閉体
１３：閉鎖体
２０：巻取り軸
３１，３１’：受部
３２，３２’：接触部
４０：リール装置
４１：巻込部材
【図１】
2006046026.tif 000003
【図２】
2006046026.tif 000004
【図３】
2006046026.tif 000005
【図４】
2006046026.tif 000006
【図５】
2006046026.tif 000007